【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
感光体と、
レーザ光を主走査方向の複数の区間に対して一定でない走査速度で露光走査することで、前記感光体に潜像を形成する光照射手段と、を備える画像形成装置であって、
前記レーザ光を露光走査するための画像データのうち、前記主走査方向のいずれの区間に対応するデータであるかに応じて、前記画像データから１画素よりも小さいサイズの画素片を除去する、又は前記画像データに前記画素片を挿入する画像データ変更手段と、
前記画像データのうち、前記主走査方向のいずれの区間に対応するデータであるかに応じて、画像データの濃度を変更する濃度変更手段と、を有し、
第１走査速度で露光走査される前記主走査方向における第１区間においては、前記画像データ変更手段により前記第１区間に対応する画素片の数は第１の数に変更され、且つ前記濃度変更手段により前記第１区間に対応する画像データの濃度は第１濃度に変更され、
前記第１走査速度よりも速い第２走査速度で露光走査される前記主走査方向における第２区間においては、前記画像データ変更手段により前記第２区間に対応する画素片の数は第２の数に変更され、且つ前記濃度変更手段により前記第２区間に対応する画像データの濃度は第２濃度に変更され、
前記第１の数より前記第２の数は少なく、且つ前記第１濃度より前記第２濃度は濃いことを特徴とする画像形成装置。
【請求項２】
前記レーザ光の走査速度は、前記主走査方向に関して中央部から端部にかけて早くなることを特徴とする請求項１に記載の画像形成装置。
【請求項３】
前記画像データ変更手段は、前記第１区間である前記主走査方向に関して中央部付近では前記画素片を除去し、前記第２区間である前記主走査方向に関して端部付近では前記画素片を挿入することを特徴とする請求項１又は２に記載の画像形成装置。
【請求項４】
前記画像データ変更手段は、前記画素片を挿入する場合、前記主走査方向に関して上流側で前記画素片を挿入する位置の隣にある画素片と同じデータの画素片を挿入することを特徴とする請求項１乃至３のいずれか１項に記載の画像形成装置。
【請求項５】
前記画像データ変更手段は、前記主走査方向に関して前記潜像の各画素の幅が実質的に等間隔となるように前記レーザ光の発光タイミングを補正することを特徴とする請求項１乃至４のいずれか１項に記載の画像形成装置。
【請求項６】
前記レーザ光の走査速度のうち最も遅い速度をＶｍｉｎ、最も速い速度をＶｍａｘとし、前記走査速度の変化率Ｃを、
Ｃ（％）＝（（Ｖｍａｘ−Ｖｍｉｎ）／Ｖｍｉｎ）＊１００
とすると、前記走査速度の変化率Ｃは２０％以上であることを特徴とする請求項１乃至５のいずれか１項に記載の画像形成装置。
【請求項７】
前記光照射手段は、前記レーザ光を反射する回転多面鏡を備え、前記回転多面鏡で反射されたレーザ光はｆθ特性を有するレンズを透過することなく前記感光体に照射されることを特徴とする請求項１乃至６のいずれか１項に記載の画像形成装置。
【請求項８】
感光体と、
レーザ光を主走査方向の複数の区間に対して一定でない走査速度で露光走査することで、前記感光体に潜像を形成する光照射手段と、を備える画像形成装置であって、
前記レーザ光を露光走査するための画像データのうち、前記主走査方向のいずれの区間に対応するデータであるかに応じて、前記画像データから１画素よりも小さいサイズの画素片を除去する、又は前記画像データに前記画素片を挿入する画像データ変更手段と、
前記画像データのうち、前記主走査方向のいずれの区間に対応するデータであるかに応じて、画像データの濃度を変更する濃度変更手段と、を有し、
前記主走査方向の複数の区間において、前記画像データ変更手段により前記複数の区間に対応する画像データに対して前記画素片が除去又は挿入される、且つ前記濃度変更手段により前記複数の区間に対応する画像データの濃度が変更されることを特徴とする画像形成装置。
【請求項９】
感光体と、
レーザ光を主走査方向の複数の区間に対して一定でない走査速度で露光走査することで、前記感光体に潜像を形成する光照射手段と、を備える画像形成装置であって、
前記主走査方向のいずれの区間に対応する画像データであるかに応じて、前記画像データに応じて前記露光走査を行うための画像クロックの周波数を変更する画像クロック変更手段と、
前記画像データのうち、前記主走査方向のいずれの区間に対応するデータであるかに応じて、画像データの濃度を変更する濃度変更手段と、を有し、
第１走査速度で露光走査される前記主走査方向における第１区間においては、前記画像クロック変更手段により前記第１区間に対応する画像クロックの周波数は第１周波数に変更され、且つ前記濃度変更手段により前記第１区間に対応する画像データの濃度は第１濃度に変更され、
前記第１走査速度よりも速い第２走査速度で露光走査される前記主走査方向における第２区間においては、前記画像クロック変更手段により前記第２区間に対応する画像クロックの周波数は第２周波数に変更され、且つ前記濃度変更手段により前記第２区間に対応する画像データの濃度は第２濃度に変更され、
前記第１周波数より前記第２周波数は高く、且つ前記第１濃度より前記第２濃度は濃いことを特徴とする画像形成装置。
【請求項１０】
感光体と、
レーザ光を主走査方向の複数の区間に対して一定でない走査速度で露光走査することで、前記感光体に潜像を形成する光照射手段と、を備える画像形成装置であって、
前記主走査方向のいずれの区間に対応する画像データであるかに応じて、前記画像データに応じて前記露光走査を行うための画像クロックの周波数を変更する画像クロック変更手段と、
前記画像データのうち、前記主走査方向のいずれの区間に対応するデータであるかに応じて、画像データの濃度を変更する濃度変更手段と、を有し、
前記主走査方向の複数の区間において、前記画像クロック変更手段により前記複数の区間に対応する画像クロックの周波数が変更され、且つ前記濃度変更手段により前記複数の区間に対応する画像データの濃度が変更されることを特徴とする画像形成装置。
【手続補正２】
【補正対象書類名】明細書
【補正対象項目名】０００６
【補正方法】変更
【補正の内容】
【０００６】
【特許文献１】特開昭５８−１２５０６４
【手続補正３】
【補正対象書類名】明細書
【補正対象項目名】０００９
【補正方法】変更
【補正の内容】
【０００９】
本発明は、感光体と、レーザ光を主走査方向の複数の区間に対して一定でない走査速度で露光走査することで、前記感光体に潜像を形成する光照射手段と、を備える画像形成装置であって、前記レーザ光を露光走査するための画像データのうち、前記主走査方向のいずれの区間に対応するデータであるかに応じて、前記画像データから１画素よりも小さいサイズの画素片を除去する、又は前記画像データに前記画素片を挿入する画像データ変更手段と、前記画像データのうち、前記主走査方向のいずれの区間に対応するデータであるかに応じて、画像データの濃度を変更する濃度変更手段と、を有し、第１走査速度で露光走査される前記主走査方向における第１区間においては、前記画像データ変更手段により前記第１区間に対応する画素片の数は第１の数に変更され、且つ前記濃度変更手段により前記第１区間に対応する画像データの濃度は第１濃度に変更され、前記第１走査速度よりも速い第２走査速度で露光走査される前記主走査方向における第２区間においては、前記画像データ変更手段により前記第２区間に対応する画素片の数は第２の数に変更され、且つ前記濃度変更手段により前記第２区間に対応する画像データの濃度は第２濃度と変更され、前記第１の数より前記第２の数は少なく、且つ前記第１濃度より前記第２濃度は濃いことを特徴とする。